(57)【特許請求の範囲】
【請求項１】
本体側連結部を備えたケース本体と、蓋体側連結部を備えた蓋体とを有し、前記本体側連結部と前記蓋体側連結部との連結によって前記ケース本体に前記蓋体が着脱可能に結合されてなる乾電池ケースであって、
前記本体側連結部と前記蓋体側連結部との何れか一方側の連結部には、左右方向に弾性変形可能で、先端に爪を有する左右一対の係止片と、その係止片の上方にそれぞれ位置する押さえ片とが設けられ、
他方側の連結部には、前記一対の係止片の外側又は内側に位置する間隔で設けられ、前記ケース本体に対する前記蓋体の結合位置で前記爪が係止する受け孔を備えた下板部と、前記下板部に連設され、前記爪が係止する位置で前記係止片の上端に当接する段差部と、前記段差部に連設され、前記結合位置で前記押さえ片の下面に当接する上板部とからなる左右一対の連結板が設けられており、
前記係止片を前記下板部の外側又は内側に位置させて前記爪を前記受け孔に係止させ、前記押さえ片の下面に前記上板部を当接させた連結状態では、前記係止片と前記下板部との干渉によって前記ケース本体と前記蓋体との左右方向の相対移動が規制され、前記係止片と前記段差部との干渉によって前記係止片側の上方向への移動及び前記段差部側の下方向への移動が規制され、前記押さえ片と前記上板部との干渉によって前記押さえ片側の下方向への移動及び前記上板部の上方向への移動が規制されることを特徴とする乾電池ケース。
【請求項２】
前記押さえ片には、前記上板部に下面が当接する横板部と、前記上板部の側面に当接する縦板部とが設けられて、前記横板部に前記上板部を当接させた連結状態では、前記上板部と前記縦板部との干渉によっても前記ケース本体と前記蓋体との左右方向の相対移動が規制されることを特徴とする請求項１に記載の乾電池ケース。
【請求項３】
操作パネルの前面に、請求項１又は２に記載の乾電池ケースが、前記蓋体を前側にして出し入れ可能に収容されてなるコンロ。
【発明の詳細な説明】
【技術分野】
【０００１】
本発明は、テーブルコンロ等において電源となる乾電池を収容するために設けられる乾電池ケースと、当該乾電池ケースを用いたコンロとに関する。
【背景技術】
【０００２】
テーブルコンロ等のコンロにおいては、器体内に、電源となる乾電池を着脱可能に収容する乾電池ケースが備えられる。この乾電池ケースは、乾電池を収納するケース本体と、ケース本体の前面側に取り付けられる蓋体とを備え、器体前面の操作パネルに設けた出入口からケース本体を挿入することで、蓋体が出入口を閉塞した状態となる。この蓋体は、ケース本体に対して着脱可能に結合されて、コンロの機種やデザインに応じて付け替えできるようになっている。例えば特許文献１には、蓋体の連結構造として、ケース本体の前端面に、係合部を備えた角筒状の雌型連結部を突設する一方、蓋体の背面に、雌型連結部に挿入されて係合部に係合する爪片と、爪片の両側に位置して雌型連結部に摺接する一対のガイド片とからなる雄型連結部を設けた構造が開示されている。また、特許文献２には、ケース本体の雌型連結部として、外筒に係合部を備えた二重の円筒部を形成し、蓋体の雄型連結部として、二重の円筒部の間に挿入され、係合部に係合する爪部を備えた円筒部を形成した連結構造が開示されている。
【先行技術文献】
【特許文献】
【０００３】
【特許文献１】特許第４７４５１７８号公報
【特許文献２】特許第５４５７９６８号公報
【発明の概要】
【発明が解決しようとする課題】
【０００４】
上記従来の連結構造においては、ケース本体に対する蓋体の上下及び左右方向の移動を規制するため、雌型連結部や雄型連結部を筒形状としている。よって、樹脂成形する際は金型に中子が必要となる上、脱型の際に中子を退避させるスライド機構も必要となり、金型が複雑化してコストアップを招いてしまう。
【０００５】
そこで、本発明は、連結部として筒形状を採用することなく蓋体の上下及び左右方向の移動を規制でき、低コストとなる乾電池ケース及びコンロを提供することを目的としたものである。
【課題を解決するための手段】
【０００６】
上記目的を達成するために、請求項１に記載の発明は、本体側連結部を備えたケース本体と、蓋体側連結部を備えた蓋体とを有し、本体側連結部と蓋体側連結部との連結によってケース本体に蓋体が着脱可能に結合されてなる乾電池ケースであって、
本体側連結部と蓋体側連結部との何れか一方側の連結部には、左右方向に弾性変形可能で、先端に爪を有する左右一対の係止片と、その係止片の上方にそれぞれ位置する押さえ片とが設けられ、
他方側の連結部には、一対の係止片の外側又は内側に位置する間隔で設けられ、ケース本体に対する蓋体の結合位置で爪が係止する受け孔を備えた下板部と、下板部に連設され、爪が係止する位置で係止片の上端に当接する段差部と、段差部に連設され、結合位置で押さえ片の下面に当接する上板部とからなる左右一対の連結板が設けられており、
係止片を下板部の外側又は内側に位置させて爪を受け孔に係止させ、押さえ片の下面に上板部を当接させた連結状態では、係止片と下板部との干渉によってケース本体と蓋体との左右方向の相対移動が規制され、係止片と段差部との干渉によって係止片側の上方向への移動及び段差部側の下方向への移動が規制され、押さえ片と上板部との干渉によって押さえ片側の下方向への移動及び上板部の上方向への移動が規制されることを特徴とする。
請求項２に記載の発明は、請求項１の構成において、押さえ片には、上板部に下面が当接する横板部と、上板部の側面に当接する縦板部とが設けられて、横板部に上板部を当接させた連結状態では、上板部と縦板部との干渉によってもケース本体と蓋体との左右方向の相対移動が規制されることを特徴とする。
上記目的を達成するために、請求項３に記載の発明は、コンロであって、操作パネルの前面に、請求項１又は２に記載の乾電池ケースが、前記蓋体を前側にして出し入れ可能に収容されてなることを特徴とする。
【発明の効果】
【０００７】
請求項１及び３に記載の発明によれば、本体側連結部と蓋体側連結部との何れか一方側の連結部に、係止片と押さえ片とを設け、他方側の連結部に、下板部と段差部と上板部とからなる連結板を設けたことで、連結部として筒形状を採用することなく蓋体の上下及び左右方向の移動を規制できる。よって、樹脂成形する際は金型に中子やそのスライド機構を設ける必要がなく、型割りのみで済むため、低コストとなる。
請求項２に記載の発明によれば、上記効果に加えて、押さえ片に縦板部を設けて、上板部と縦板部との干渉によってもケース本体と蓋体との左右方向の相対移動が規制されるようにしているので、押さえ片を利用して蓋体の左右方向のがたつきをより確実に防止することができる。
【図面の簡単な説明】
【０００８】
【図１】乾電池ケースの斜視図である。
【図２】ケース本体と蓋体とを分離させた状態の前方側からの斜視図である。
【図３】ケース本体と蓋体とを分離させた状態の後方側からの斜視図である。
【図４】蓋体の組み付け状態を示す側面図である。
【図５】乾電池ケースの側面図である。
【図６】図５のＡ−Ａ線拡大断面図である。
【図７】図５のＢ−Ｂ線断面図である。
【図８】テーブルコンロの斜視図である。
【図９】複数の蓋体の付け替え状態を示す説明図である。
【発明を実施するための形態】
【０００９】
以下、本発明の実施の形態を図面に基づいて説明する。
図１は、乾電池ケースの一例を示す斜視図である。この乾電池ケース１は、乾電池を収納する樹脂製のケース本体２と、ケース本体２の前端（図１の左下側を前方とする。）へ着脱可能に結合される樹脂製の蓋体３とからなる。
まず、ケース本体２は、前後方向に長い底板４の外周に、左右の長辺に沿った側板５，５と、前後の短辺に沿った前板６及び後板７とを連続状に立設して上面を開口させた箱状体で、内部に乾電池の収納部８を形成している。左側の側板５の内側には、帯板状の正極端子９が平行に保持されて、後端が後板７の前側で上向きに突出する接続部１０を形成する一方、前端は前板６の背面に沿って延び、乾電池の正極と当接する正極部１１を形成している。後板７には、その後側で上向きに突出する接続部１３と、後板７を貫通して接続部１３と接続されて収納部８内に突出するコイル状の負極部１４とからなる負極端子１２が設けられている。底板４の前側で下部中央には、前板６よりも前方へ突出し、前端に把持部１６を、後部に係止部１７（図４に示す）をそれぞれ備えた帯状の操作片１５が形成されている。
【００１０】
そして、前板６の前面には、図２に示すように、前板６の左右の側縁から前方へ突設される一対の連結板１９，１９からなる本体側連結部１８が設けられている。各連結板１９は、前板６の下端から上下方向の中間部よりやや上方まで延びる下板部２０と、下板部２０の上端から内側へ折曲する段差部２１と、段差部２１の内端から上方へ延びる上板部２２とを有してなる。また、各連結板１９の後部において、段差部２１から下板部２０の上半分よりやや下方位置までの間には、受け孔２３が形成されている。さらに、下板部２０の上半分と段差部２１及び上板部２２の前端は、上方へ行くに従って前板６に近づく傾斜縁部２４となっている。
【００１１】
次に、蓋体３は、前板６よりも一回り大きい正面視四角板状で、前板６の連結板１９の傾斜縁部２４と同じ角度で後方へ傾斜しており、図３に示すように、蓋体３の下部中央には、四角形状の切欠き２５が形成されて、切欠き２５の周縁には、前方へ突出する壁状のつまみ部２６が形成されている。
また、蓋体３の背面には、蓋体側連結部２７が設けられている。この蓋体側連結部２７は、後向きに突設される左右一対の係止片２８，２８と、その上方で後向きに突設される左右一対の押さえ片２９，２９とからなる。係止片２８，２８は、両者間の外寸が前板６側の下板部２０，２０間の内寸と略等しくなる間隔で配置されており、後端には、外側へ向けた返し形状の爪３０がそれぞれ設けられている。この爪３０は、蓋体３が連結板１９の傾斜縁部２４に当接する結合位置で受け孔２３に係止する位置に設けられている。
【００１２】
押さえ片２９，２９は、上下方向の縦板部３１，３１と、左右方向の横板部３２，３２とからなる横断面Ｌ字状で、それぞれ縦板部３１，３１が外側となるように左右対称に配置されている。また、押さえ片２９，２９は、縦板部３１，３１間の内寸が前板６側の上板部２２，２２間の外寸と略等しくなる間隔で、且つ横板部３２，３２の下面が上板部２２，２２の上端面に合致する高さとなるように形成されている。
【００１３】
以上の如く構成された乾電池ケース１においては、ケース本体２の前板６の前方から蓋体３を、図４に示すように押さえ片２９，２９を上板部２２，２２の上端に上方から当接させ、矢印の方向へ回転させて蓋体３をケース本体２に正対させながら係止片２８，２８を下板部２０，２０の内側で段差部２１，２１の下方に差し込む。このとき各係止片２８の爪３０が下板部２０に干渉するが、爪３０の返し形状と係止片２８の弾性とによって係止片２８が内側へ撓むため、下板部２０の内側へ容易に差し込むことができる。そして、図５のように蓋体３が連結板１９，１９の傾斜縁部２４，２４に当接する結合位置で、爪３０，３０が受け孔２３，２３に係止し、本体側連結部１８と蓋体側連結部２７とが連結されて蓋体３がケース本体２に結合される。この状態でケース本体２の操作片１５は蓋体３の切欠き２５を貫通して前方へ突出し、把持部１６をつまみ部２６の下方に位置させる。
【００１４】
この結合位置では、図６，７に示すように、係止片２８，２８がそれぞれ外側の下板部２０，２０と左右方向で干渉し、押さえ片２９，２９の縦板部３１，３１がそれぞれ内側の上板部２２，２２と左右方向で干渉することで、ケース本体２と蓋体３との互いの左右方向の相対移動が規制される。また、係止片２８，２８がそれぞれ上側の段差部２１，２１と上下方向で干渉することで、ケース本体２に対する蓋体３の上方向への移動（蓋体３に対するケース本体２の下方向への移動）が規制される。さらに、押さえ片２９，２９の横板部３２，３２がそれぞれ下側の上板部２２，２２と上下方向で干渉することで、ケース本体２に対する蓋体３の下方向への移動（蓋体３に対するケース本体２の上方向への移動）が規制される。よって、ケース本体２と蓋体３とは上下及び左右方向で互いにがたつきなく結合される。
【００１５】
この乾電池ケース１は、図８に例示するようなテーブルコンロ４０に使用される。このテーブルコンロ４０は、平面視四角形状の器体４１を有し、器体４１の上部に設けた天板４２には、左右一対のコンロ部４３，４３が設けられており、両コンロ部４３，４３の間で器体４１の内部には、正面にグリル扉４５を備えたグリル４４が設けられている。４６は各コンロ部４３に設けられたコンロバーナ、４７は五徳、４８はグリル排気口である。
また、器体４１の正面には、各コンロ部４３及びグリル４４に対応したコンロバーナ４６の点消火つまみ４９，４９・・等を備えた操作パネル５０が設けられており、操作パネル５０の左端には、乾電池ケース１の収容部の出入口５１が設けられている。すなわち、乾電池を収納したケース本体２を、後板７を先にして出入口５１から器体４１内に差し込んで収容すると、蓋体３が出入口５１を閉塞して操作パネル５０と略面一となる。このとき操作片１５の係止部１７は、器体４１内の図示しない被係止部に係止して抜け止めされ、各端子板９，１２の接続部１０，１３は器体４１内の電源回路と電気的に接続される。
【００１６】
なお、開口５１の上方には、点灯によって乾電池電圧の低下を知らせる報知ランプ５２が設けられており、報知ランプ５２の報知によって乾電池を交換する場合は、蓋体３のつまみ部２６と操作片１５の把持部１６とを指でつまむようにして操作片１５を上方へ持ち上げると、係止部１７が被係止部から外れるため、そのまま乾電池ケース１を手前に引き出して器体４１から抜き取ることができる。
【００１７】
そして、蓋体３は、左右の爪３０，３０を内側に押し込んでケース本体２の受け孔２３，２３との係止を解除させれば、係止片２８，２８を連結板１９，１９から抜き取って蓋体３をケース本体２から取り外すことができる。よって、蓋体側連結部２７以外の外面形態が異なる蓋体３を複数用意しておけば、テーブルコンロの機種やデザインに合わせて蓋体を付け替えることができる。図９は、その一例を示すもので、ここでは蓋体側連結部２７を同じくする別の蓋体３Ａの外面に、型式表示３３を付与している。この型式表示３３は、蓋体３Ａとの一体成形によって付与してもよいし、成形後にレーザ加工や印刷を施して付与してもよい。
【００１８】
このように、上記形態の乾電池ケース１及びテーブルコンロ４０によれば、蓋体側連結部２７に、左右方向に弾性変形可能で、先端に爪３０を有する左右一対の係止片２８，２８と、その係止片２８，２８の上方にそれぞれ位置する押さえ片２９，２９とを設け、本体側連結部１８に、係止片２８，２８の外側に位置する間隔で設けられ、蓋体３の結合位置で爪３０が係止する受け孔２３を備えた下板部２０と、下板部２０に連設され、爪３０が係止する位置で係止片２８の上端に当接する段差部２１と、段差部２１に連設され、蓋体３の結合位置で押さえ片２９の下面に当接する上板部２２とからなる左右一対の連結板１９，１９を設けて、係止片２８，２８を下板部２０，２０の内側に位置させて爪３０，３０を受け孔２３，２３に係止させ、押さえ片２９，２９の下面に上板部２２，２２を当接させた連結状態では、係止片２８，２８と下板部２０，２０との干渉によってケース本体２と蓋体３との左右方向の相対移動が規制され、係止片２８，２８と段差部２１，２１との干渉によって蓋体３の上方向への移動及びケース本体２の下方向への移動が規制され、押さえ片２９，２９と上板部２２，２２との干渉によって蓋体３の下方向への移動及びケース本体２の上方向への移動が規制されるようにしている。
これにより、連結部として筒形状を採用することなく蓋体３の上下及び左右方向の移動を規制できる。よって、樹脂成形する際は金型に中子やそのスライド機構を設ける必要がなく、型割りのみで済むため、低コストとなる。
【００１９】
特にここでは、押さえ片２９に、上板部２２に下面が当接する横板部３２と、上板部２２の側面に当接する縦板部３１とを設けて、横板部３２に上板部２２を当接させた連結状態では、上板部２２と縦板部３１との干渉によってもケース本体２と蓋体３との左右方向の相対移動が規制されるようにしているので、押さえ片２９を利用して蓋体３の左右方向のがたつきをより確実に防止することができる。
【００２０】
なお、上記形態では、上板部が段差部を介して下板部の内側に設けられる連結板に対し、係止片を下板部の内側に位置させて外側の爪を受け孔に係止させているが、これと逆に、上板部を段差部を介して下板部の外側に設けられる連結板に対し、係止片を下板部の外側に位置させて内側の爪を受け孔に係止させることもできる。この場合も係止片と下板部とによる左右方向の移動規制と、係止片と段差部とによる上下方向の移動規制とは可能である。
また、上記形態では、本体側連結部に連結板を、蓋体側連結部に係止片及び押さえ片をそれぞれ設けているが、これと逆に、本体側連結部に係止片及び押さえ片を、蓋体側連結部に連結板をそれぞれ設けてもよい。
【００２１】
さらに、係止片と下板部とによる左右方向の移動規制で十分であれば、押さえ片の縦板部をなくすこともできる。逆に不十分であれば、押さえ板を逆Ｕ字状にして上板部の左右両側に当接する一対の縦板部を設けることも可能である。
一方、連結板は、操作パネルの形態によっては傾斜縁部をなくして上下方向の平面として、同じく上下方向の蓋体を結合させる構造とすることもできる。ケース本体についても、上面を開口した箱状体に限らず、乾電池を差し込む筒状体とする等、適宜変更可能である。
その他、テーブルコンロの形態も、コンロ部が３口のものや、操作パネルに点消火ボタンが設けられるもの等であっても差し支えないし、乾電池ケースを用いるコンロであればビルトインコンロ等であっても本発明は採用可能である。
【符号の説明】
【００２２】
１・・乾電池ケース、２・・ケース本体、３（３Ａ）・・蓋体、４・・底板、５・・側板、６・・前板、７・・後板、８・・収納部、９・・正極端子、１２・・負極端子、１５・・操作片、１６・・把持部、１８・・本体側連結部、１９・・連結板、２０・・下板部、２１・・段差部、２２・・上板部、２３・・受け孔、２７・・蓋体側連結部、２８・・係止片、２９・・押さえ片、３０・・爪、３１・・縦板部、３２・・横板部、３３・・型式表示、４０・・テーブルコンロ、４１・・器体、４３・・コンロ部、４４・・グリル、５０・・操作パネル、５１・・出入口。
【図１】
0006602183.tif 000002
【図２】
0006602183.tif 000003
【図３】
0006602183.tif 000004
【図４】
0006602183.tif 000005
【図５】
0006602183.tif 000006
【図６】
0006602183.tif 000007
【図７】
0006602183.tif 000008
【図８】
0006602183.tif 000009
【図９】
0006602183.tif 000010